(57)【要約】【課題】既設の乗客コンベアへ後付けする際に制御盤の改造や電源線の引き回し等の電気的な付帯作業が発生しない移動手摺自動清掃装置を提供する。【解決手段】ベース３は、移動手摺１に摺接する清掃部５を有し、移動手摺の下方に配置されると共に上下方向に回動自在に軸支されている。当接機構６は、移動手摺の駆動力によりベースを上方に回動させると共に清掃部が移動手摺に当接するとベースを下方に回動自在とする駆動機構７と、清掃部が移動手摺に当接した状態でベースを係止すると共にベースから離脱する方向の力をベースを介して与えられるように形成された係止部材８と、移動手摺の駆動力により係止部材がベースに係合した状態を維持すると共に移動手摺が停止すると係止部材がベースから離脱するのを許容する保持機構９とを具備している。【選択図】      図１
2004277110.tif 000002
【特許請求の範囲】
【請求項１】
移動手摺に摺接する清掃部を有し、前記清掃部が前記移動手摺に当接した状態と前記移動手摺から離れた状態とを取り得るように支持されたベースと、前記乗客コンベアの駆動力により動作し、前記清掃部が前記移動手摺に当接するように前記ベースを移動させると共に前記清掃部が前記移動手摺に当接した状態を維持し、前記乗客コンベアが停止すると前記清掃部が前記移動手摺に当接した状態を解除する当接機構と、を具備することを特徴とする乗客コンベアの移動手摺自動清掃装置。
【請求項２】
前記ベースは、前記移動手摺の下方に配置されると共に上下方向に回動自在に軸支され、前記当接機構は、前記移動手摺の駆動力により前記ベースを上方に回動させると共に前記清掃部が前記移動手摺に当接した状態で前記ベースを下方に回動自在とする駆動機構と、前記ベースに係脱するように支持され、前記清掃部が前記移動手摺に当接した状態で前記ベースを係止すると共に前記ベースから離脱する方向の力を前記ベースを介して与えられるように形成された係止部材と、前記移動手摺の駆動力により前記係止部材が前記ベースに係合した状態を維持すると共に前記移動手摺が停止すると前記係止部材が前記ベースから離脱するのを許容する保持機構と、を具備することを特徴とする乗客コンベアの移動手摺自動清掃装置。
【請求項３】
前記当接機構は、前記移動手摺を駆動する駆動輪の回転力により動作することを特徴とする請求項１又は請求項２記載の乗客コンベアの移動手摺自動清掃装置。
【発明の詳細な説明】
【０００１】
【発明の属する技術分野】
本発明は、エスカレータ等の乗客コンベアに備えられる乗客コンベアの移動手摺自動清掃装置に関する。
【０００２】
【従来の技術】
一般に、乗客コンベアの移動手摺を自動的に清掃する装置では、洗浄液が塗布された面もしくは乾いた清掃部が移動手摺に当接した状態で乗客コンベアを停止させたままにすると、洗浄液の乾燥もしくは清掃部によって拭き取られた汚物の乾燥により移動手摺に汚物が再転写されることがある。
【０００３】
したがって、従来の移動手摺自動清掃装置では、汚物の再転写を防ぐために、乗客コンベアが停止しているときには洗浄液の塗布面もしくは清掃部を移動手摺から引き離す機構が備えられている。
【０００４】
また、乗客コンベアが停止したのを検知してから洗浄液の塗布面もしくは清掃部を移動手摺から引き離す必要があるため、従来の移動手摺自動清掃装置は、移動手摺の停止を検知する検知部を備える必要があった。
【０００５】
さらに、従来の移動手摺自動清掃装置では、動力源として電力が用いられていた（例えば下記特許文献１参照）。
【０００６】
【特許文献１】
特開平１０−３６０６２号公報
【０００７】
【発明が解決しようとする課題】
上述したように、従来の移動手摺自動清掃装置は、乗客コンベアの駆動、停止を検知するための検知部が必要であり、また、乗客コンベアの停止時に検知部を作動させ、洗浄液の塗布面や清掃部の引き離し及び当接を行う機構を作動させる動力源として電力を用いているため、既設の乗客コンベアに後から取り付ける場合には、制御盤の改造や電源線の引き回し等、電気的な付帯作業が多く発生し、煩雑であった。
【０００８】
本発明は上述した問題点に鑑みてなされたものであり、その目的は、既設の乗客コンベアへ後付けする際に制御盤の改造や電源線の引き回し等の電気的な付帯作業が発生しない移動手摺自動清掃装置を提供することにある。
【０００９】
【課題を解決するための手段】
上記目的を達成するために、本発明に係る乗客コンベアの移動手摺自動清掃装置は、移動手摺に摺接する清掃部を有し、前記清掃部が前記移動手摺に当接した状態と前記移動手摺から離れた状態とを取り得るように支持されたベースと、前記乗客コンベアの駆動力により動作し、前記清掃部が前記移動手摺に当接するように前記ベースを移動させると共に前記清掃部が前記移動手摺に当接した状態を維持し、前記乗客コンベアが停止すると前記清掃部が前記移動手摺に当接した状態を解除する当接機構と、を具備することを特徴としている。
【００１０】
【発明の実施の形態】
以下、本発明の一実施形態を図面と共に詳述する。図１は本発明の一実施形態である移動手摺自動清掃装置の概略構成を示す正面図、図２は図１の移動手摺自動清掃装置の要部の左側面図である。
【００１１】
図１において、１は乗客コンベアの移動手摺、２は移動手摺１を駆動する駆動輪であり、駆動輪２が時計回り方向に回転することにより移動手摺１が図の右方向に移動する。
【００１２】
移動手摺１の下方にはベース３が配置されており、その一端は駆動輪２の回転軸４に固定され、この回転軸４を中心として上下に回動自在となっている。ベース３の上面には清掃部５が固定されており、この清掃部５は移動手摺１に摺接することで移動手摺１を清掃する。
【００１３】
清掃部５は、当接機構６により移動手摺１に接離するようになっている。この当接機構６は、駆動輪２の駆動力によりベース３を上方に回動させる駆動機構７と、清掃部５が移動手摺１に当接した状態でベース３を係止する係止部材８と、駆動輪２の駆動力により係止部材８がベース３に係合した状態を維持する保持機構９とから成っている。
【００１４】
駆動機構７は、ベース３の側面に回転軸１０を介して回転自在に取り付けられた偏心ギア１１と、この偏心ギア１１の片面に固定されたハート形のカム１２と、一端がベース３の側面に固定され、他端側の上面がカム１２の外周面に当接した板バネ１３と、図示しないフレーム等の固定物に回転自在に軸支され、偏心ギア１１に噛合している上昇駆動ギア１４とを有している。駆動輪２と上昇駆動ギア１４の片面にはそれぞれプーリ１５、１６が同心状に固定されており、これらはベルト１７を介して伝動連結されている。
【００１５】
係止部材８は、上端が図示しないフレーム等の固定物に支軸８ａを介して回動自在に軸支されており、上端に一側方に向けて突出した突出部８ｂを有し、下端に突出部８ｂと反対方向に突出した鈎状の係合部８ｃを有している。係合部８ｃは、ベース３の先端に係合した状態（図５参照）において、ベース３の自重や清掃部５の移動手摺１との接触面圧等によりベース３から離脱する方向の回動力をベース３を介して与えられるように形成されている。また、係合部８ｃの周面は、ベース３の先端に取り付けられた円柱状の突起３ａに当接すると係止部材８がベース３から離れる方向に回動するように形成されている。
【００１６】
保持機構９はガバナ機構を用いたもので、図２に示すように、回転軸１９、回転板２０、おもり２１，２１、押し出し部材２３，２３、リンク２５，２７、押さえ部材２９を有している。
【００１７】
回転軸１９は、図示しないフレーム等の固定物に軸方向に摺動自在かつ回転自在に取り付けられており、回転板２０は、回転軸１９に軸方向に摺動自在かつ回転しないように取り付けられている。
【００１８】
おもり２１，２１は、回転板２０の片面に径方向に摺動自在に取り付けられ、回転軸１９を挟んで対向するように配置されている。各おもり２１は、図示しないバネにより回転板２０の径方向内側に向けて付勢されている。
【００１９】
押し出し部材２３，２３は、回転板２０の片面に支軸２２を介して回動自在に取り付けられ、おもり２１，２１の間において回転軸１９を挟んで対向するように配置されている。各押し出し部材２３は、一端がおもり２１の側面に枢支連結されると共に他端が回転軸１９の一端側の端面に当接している。
【００２０】
リンク２５は、図示しないフレーム等の固定物に支軸２４を介して回動自在に軸支され、図示しないバネにより図２の反時計回り方向に付勢されており、下端が回転軸１９を右方向に押している。
【００２１】
リンク２７は、上端が図示しないフレーム等の固定物に回転軸２８を介して回動自在に軸支され、下端はリンク２５の上端にピン２６を介して枢支連結されている。このピン２６は、リンク２５の上端に長手方向に延びるように形成された長孔２５ａに摺動自在に係合している。
【００２２】
押さえ部材２９は、一端が回転軸２８に固定され、他端が係止部材８の上面に対向するように配置されている。
【００２３】
なお、回転軸１９の外周部にはベルト３０が巻き掛けられており、このベルト３０を介して回転軸１９と上昇駆動ギア１４のプーリ１６が伝動連結されている。
【００２４】
次に、上記のように構成された移動手摺自動清掃装置の動作を説明する。乗客コンベアの停止時には、図１に示すように、上昇駆動ギア１４と偏心ギア１１は噛み合った状態となっており、ベース３は最も下がった状態で、清掃部５は移動手摺１から離れた状態になっている。
【００２５】
この状態で乗客コンベアが駆動されると、駆動輪２の回転力がベルト１７を介してプーリ１６に伝達されて上昇駆動ギア１４が回転し、これに伴って偏心ギア１１が回転する。これによって、図３に示すように、ベース３が上方に回動すると共に、カム１２が板バネ１３を下方に押圧して板バネ１３が弾性変形する。また、ベース３の先端に取り付けられた突起３ａが係止部材８の係合部８ｃに接して係止部材８が時計回り方向に回動する。
【００２６】
また、駆動輪２の回転力がベルト３０を介して回転軸１９に伝達されて回転板２０が回転し、おもり２１，２１が遠心力により回転板２０の径方向外側に摺動し、図４に示すように、押し出し部材２３，２３が互いに離反する方向に回動する。これにより、押し出し部材２３，２３が回転軸１９をリンク２５の方向に押し込むので、リンク２５が回転軸１９に押されて支軸２４を中心として時計回り方向に回動する。これに伴ってリンク２７が支軸２８を支点として反時計回り方向に回動し、押さえ部材２９の先端が係止部材８の上面に接近する。
【００２７】
偏心ギア１１が約半周回転すると、清掃部５が移動手摺１に当接する。また、これとほぼ同時にベース３の先端の突起３ａが係合部８ｃを乗り越え、その直後に押さえ部材２９の先端が係止部材８の突出部８ｂの上面に当接して下方に押圧し、係止部材８が反時計まわり方向に回動して係合部８ｃが突起３ａに係合する。これによって、図５に示すように、清掃部５が移動手摺１に当接した状態でベース３が係止される。
【００２８】
清掃部５が移動手摺１に当接すると、ベース３はそれ以上上昇できないため、偏心ギア１１がさらに回転し続けると上昇駆動ギア１４との噛み合いが解除され、ベース３が回転軸４を中心として回動自在の状態となる。そして、板バネ１３の弾発力により偏心ギア１１が図５の時計回り方向に回動して図６に示す状態となる。
【００２９】
乗客コンベアの駆動中は回転板２０が回転しており、図４に示す状態が維持され続けるので、ベース３は図６の位置に係止される。したがって清掃部５により移動手摺１が清掃される。
【００３０】
乗客コンベアが停止すると、回転板２０の回転が停止するので、おもり２１，２１が回転板２０の径方向内側に摺動する。これによって押し出し部材２３，２３が互いに接近する方向に回動し、リンク２５が支軸２４を中心として図４の反時計回り方向に回動して回転軸１９を右方向に摺動させる。また、リンク２５に同期してリンク２７が支軸２８を中心として時計回り方向に回動し、押さえ部材２９の先端が係止部材８から離れる（図２参照）。
【００３１】
係止部材８の係合部８ｃがベース５から離れる方向の回動力をベース５を介して与えられているため、押さえ部材２９が突出部８ｂから離れると係止部材８が回動し、係合部８ｃがベース３の突起３ａから外れる。これによってベース３の係止が解除されるため、ベース３は自重により下方に回動して清掃部５が移動手摺１から離れ、図１の状態に復帰する。
【００３２】
この移動手摺自動清掃装置では、乗客コンベアが停止しているときには清掃部５が移動手摺１から離れるため、洗浄液の乾燥もしくは清掃部によって拭き取られた汚物の乾燥により移動手摺１に汚物が再転写されることがない。
【００３３】
また、この移動手摺自動清掃装置は、駆動力として電力を用いていないため、既設の乗客コンベアに後から取り付ける場合において、制御盤の改造や電源線の引き回し等、電気的な付帯作業が不要であり、取り付け作業が容易である。
【００３４】
なお、上記実施形態では、当接機構が駆動輪の回転力により動作するようにした場合について説明したが、例えば移動手摺のような直線的な移動力を回転力に変換して当接機構を動作させるようにしてもよい。
【００３５】
【発明の効果】
以上説明したように、本発明の移動手摺自動清掃装置は、既設の乗客コンベアへ後付けする際に制御盤の改造や電源線の引き回し等の電気的な付帯作業が発生しないため、取り付けが容易である。
【図面の簡単な説明】
【図１】本発明の一実施形態である移動手摺自動清掃装置の概略構成を示す正面図。
【図２】図１の移動手摺自動清掃装置の要部の左側面図。
【図３】図１の移動手摺自動清掃装置の動作説明図
【図４】図１の移動手摺自動清掃装置の動作説明図
【図５】図１の移動手摺自動清掃装置の動作説明図
【図６】図１の移動手摺自動清掃装置の動作説明図
【符号の説明】
１  移動手摺
２  駆動輪
３  ベース
５  清掃部
６  当接機構
７  駆動機構
８  係止部材
９  保持機構
【図１】
2004277110.tif 000003
【図２】
2004277110.tif 000004
【図３】
2004277110.tif 000005
【図４】
2004277110.tif 000006
【図５】
2004277110.tif 000007
【図６】
2004277110.tif 000008